(57)【要約】【課題】  既設配管の洗浄動作を行う冷凍装置において、冷媒の圧力損失を低減し、冷凍装置のＣＯＰを向上させる。【解決手段】  空調機の室外ユニット（20）と室内ユニット（30）とは、既設の液側及びガス側連絡管（A,B）によって互いに接続される。圧縮機（21）のケーシング（21a）の底部には、合成油が貯留される。室外ユニット（20）には、給油機構（1）のバイパス管（60）と開閉弁（70）とが設けられる。洗浄動作中に開閉弁（70）を開くと、圧縮機（21）から吐出された冷媒及び合成油は、バイパス管（60）を通って油分離器（22）の下流側へ流入する。鉱油が残存する液側及びガス側連絡管（A,B）では、合成油が冷媒と共に流通し、この鉱油に冷媒が溶解して粘度の低下した合成油が溶け込む。鉱油と合成油の混合物は、その粘度が鉱油の粘度よりも低下し、流動しやすくなるため、配管内を流れて回収容器（40）に貯留される。【選択図】  図１
2005083637.tif 000002
【特許請求の範囲】
【請求項１】
圧縮機（21）と熱源側熱交換器（24）とが設けられて既設の液側連絡管（A）及びガス側連絡管（B）を介して利用側熱交換器（33）に接続される熱源側回路（11）と、
上記熱源側回路（11）における圧縮機（21）の吸入側に設けられてガス冷媒から分離した冷凍機油を貯留する回収容器（40）とを備え、
上記圧縮機（21）を運転して上記既設の液側連絡管（A）及びガス側連絡管（B）に残存する旧冷媒用の冷凍機油を上記回収容器（40）へ回収する洗浄動作を行う冷凍装置であって、
上記熱源側回路（11）における圧縮機（21）の吐出側には該圧縮機（21）の吐出冷媒から冷凍機油を分離する油分離器（22）が設けられる一方、
上記圧縮機（21）には上記旧冷媒用の冷凍機油に溶解する新冷媒用の冷凍機油が貯留され、
上記圧縮機（21）に貯留された新冷媒用の冷凍機油を上記熱源側回路（11）における油分離器（22）の下流側へ上記洗浄動作中に供給する給油機構（1）を備えている冷凍装置。
【請求項２】
請求項１に記載の冷凍装置において、
給油機構（1）は、圧縮機（21）から吐出された新冷媒用の冷凍機油を油分離器（22）の下流側へ供給するように構成されている冷凍装置。
【請求項３】
請求項２に記載の冷凍装置において、
給油機構（1）は、熱源側回路（11）における油分離器（22）の上流側に一端が、その下流側に他端がそれぞれ接続されるバイパス管（60）と、該バイパス管（60）に設けられて洗浄動作中に開放される開閉弁（70）とを備えている冷凍装置。
【請求項４】
請求項２に記載の冷凍装置において、
給油機構（1）は、油分離器（22）で圧縮機（21）の吐出冷媒から分離された新冷媒用の冷凍機油を該圧縮機（21）へ戻すための油戻し管（22a）に設けられて洗浄動作中に閉鎖される開閉弁（71）を備えている冷凍装置。
【請求項５】
請求項２に記載の冷凍装置において、
洗浄動作中には、上記液側連絡管（A）を熱源側回路（11）から利用側熱交換器（33）へ向けて冷媒が流通する一方、
給油機構（1）は、熱源側回路（11）における圧縮機（21）と油分離器（22）との間に一端が、熱源側回路（11）の端部のうち液側連絡管（A）が接続される方に他端がそれぞれ接続されるバイパス管（62）と、該バイパス管（62）に設けられて洗浄動作中に開放される開閉弁（72）とを備えている冷凍装置。
【請求項６】
請求項１に記載の冷凍装置において、
給油機構（1）は、圧縮機（21）に接続して該圧縮機（21）に貯留された新冷媒用の冷凍機油を熱源側回路（11）における油分離器（22）の下流側へ供給するための給油管（63,64）と、該給油管（63,64）に設けられて洗浄動作中に開放される給油弁（73,74）とを備えている冷凍装置。
【請求項７】
請求項６に記載の冷凍装置において、
給油管（63）は、熱源側回路（11）における油分離器（22）の下流側に接続されている冷凍装置。
【請求項８】
請求項６に記載の冷凍装置において、
洗浄動作中には、上記液側連絡管（A）を熱源側回路（11）から利用側熱交換器（33）へ向けて冷媒が流通する一方、
給油管（64）は、熱源側回路（11）の端部のうち液側連絡管（A）が接続される方に接続されている冷凍装置。
【請求項９】
請求項１に記載の冷凍装置において、
給油機構（1）は、油分離器（22）で圧縮機（21）の吐出冷媒から分離された新冷媒用の冷凍機油を熱源側回路（11）における油分離器（22）の下流側へ供給するように構成されている冷凍装置。
【請求項１０】
請求項９に記載の冷凍装置において、
洗浄動作中には、上記液側連絡管（A）を熱源側回路（11）から利用側熱交換器（33）へ向けて冷媒が流通する一方、
給油機構（1）は、油分離器（22）で圧縮機（21）の吐出冷媒から分離された新冷媒用の冷凍機油を該圧縮機（21）へ戻すための油戻し管（22a）に一端が、熱源側回路（11）の端部のうち液側連絡管（A）が接続される方に他端がそれぞれ接続されるバイパス管（65）と、該バイパス管（65）に設けられて洗浄動作中に開放される開閉弁（75）とを備えている冷凍装置。
【請求項１１】
圧縮機（21）と熱源側熱交換器（24）とレシーバ（28）とが設けられて既設の液側連絡管（A）及びガス側連絡管（B）を介して利用側熱交換器（33）に接続される熱源側回路（11）と、
上記熱源側回路（11）における圧縮機（21）の吸入側に設けられてガス冷媒から分離した冷凍機油を貯留する回収容器（40）とを備え、
上記圧縮機（21）を運転して上記既設の液側連絡管（A）及びガス側連絡管（B）に残存する旧冷媒用の冷凍機油を上記回収容器（40）へ回収する洗浄動作を行う冷凍装置であって、
上記レシーバ（28）には上記旧冷媒用の冷凍機油に溶解する新冷媒用の冷凍機油が予め貯留されており、該新冷媒用の冷凍機油が洗浄動作中にレシーバ（28）を通過する冷媒と共に上記既設の液側連絡管（A）及びガス側連絡管（B）へ供給される冷凍装置。
【発明の詳細な説明】
【技術分野】
【０００１】
本発明は、既設の連絡配管に接続される冷凍装置であって、連絡配管の洗浄動作を行うものに関する。
【背景技術】
【０００２】
従来より、冷媒が循環して蒸気圧縮式冷凍サイクルを行う冷媒回路を備えた冷凍装置が知られている。上記冷凍装置は室内外のユニットから成り、これら室内外のユニットは連絡配管によって接続されている。この連絡配管は、建物の内部に埋め込まれていることが多い。このため、冷凍装置の更新時に連絡配管を交換することが困難であり、既設の連絡配管を流用して新たな冷凍装置が導入されている。
【０００３】
一方、上記冷媒回路に充填される冷媒として、これまで用いられてきたＣＦＣ冷媒やＨＣＦＣ冷媒は、オゾン層を破壊する等環境に悪影響を及ぼすために全廃となっている。このため、冷凍装置の更新時には、ＣＦＣ冷媒やＨＣＦＣ冷媒を使用した既設の連絡配管に、新冷媒であるＨＦＣ冷媒等を使用した冷凍装置を接続する必要がある。ところが、既設の連絡配管には、ＣＦＣ冷媒やＨＣＦＣ冷媒用の冷凍機油である鉱油が残留している。残留する鉱油が劣化すると、それに含まれる塩素イオンにより膨張弁等が腐食する恐れを生じる。よって、新たな冷凍装置を導入して試運転を行う前に、既設の連絡配管を洗浄して鉱油を除去する必要がある。
【０００４】
そこで、既設の連絡配管の洗浄運転を可能とする冷凍装置が提案されている（例えば、特許文献１参照）。この冷凍装置では、圧縮機及び熱源側熱交換器を備える熱源機と、利用側熱交換器を備える室内機とが既設の連絡配管である第１及び第２の接続配管を介して接続されて冷媒回路が構成されている。圧縮機の吸入側には、冷媒から鉱油を分離して回収するための異物捕捉手段が設けられている。また、第１及び第２の接続配管の上流側には、添加剤注入装置が設けられている。添加剤注入装置には、第１及び第２の接続配管に残留する鉱油の洗浄効果を高めるための添加剤として新冷媒用の冷凍機油が注入されている。
【０００５】
上記冷凍装置では、ＨＦＣ冷媒を充填した後、冷房モードで洗浄運転を行い、冷媒回路を循環する冷媒によって第１及び第２の接続配管を洗浄して異物捕捉手段に鉱油を回収してしている。また、洗浄運転中には、新冷媒用の冷凍機油が添加剤注入装置から少しずつ添加剤として供給される。そして、鉱油に添加剤が溶解することを利用して第１及び第２の接続配管に残留する鉱油の除去効果を高めている。
【特許文献１】特開２０００−３２９４３２号公報
【発明の開示】
【発明が解決しようとする課題】
【０００６】
上述のように、上記特許文献１に開示された冷凍装置では、冷媒回路内に、既設の連絡配管である第１及び第２の接続配管の洗浄効果を高めるための添加剤が注入された添加剤注入装置が設けられている。ところが、上記添加剤注入装置は、冷凍装置の設置直後に行われる洗浄運転時にだけ用いられるものであり、洗浄運転終了後の通常運転時に二度と用いられることはない。つまり、通常運転時には、添加剤注入装置内を冷媒が通過するのみとなっている。このため、洗浄運転終了後の通常運転時において、冷媒回路内を流れる冷媒がこの添加剤注入装置へ流入出することによって圧力損失を生じ、冷凍装置の成績係数（ＣＯＰ）が低下するという問題があった。
【０００７】
本発明は、かかる点に鑑みてなされたものであり、その目的とするところは、既設配管の洗浄動作を行う冷凍装置において、冷媒の圧力損失を低減し、冷凍装置の成績係数（ＣＯＰ）を向上させることにある。
【課題を解決するための手段】
【０００８】
第１の発明は、圧縮機（21）と熱源側熱交換器（24）とが設けられて既設の液側連絡管（A）及びガス側連絡管（B）を介して利用側熱交換器（33）に接続される熱源側回路（11）と、上記熱源側回路（11）における圧縮機（21）の吸入側に設けられてガス冷媒から分離した冷凍機油を貯留する回収容器（40）とを備え、上記圧縮機（21）を運転して上記既設の液側連絡管（A）及びガス側連絡管（B）に残存する旧冷媒用の冷凍機油を上記回収容器（40）へ回収する洗浄動作を行う冷凍装置を対象としている。そして、上記熱源側回路（11）における圧縮機（21）の吐出側には該圧縮機（21）の吐出冷媒から冷凍機油を分離する油分離器（22）が設けられる一方、上記圧縮機（21）には上記旧冷媒用の冷凍機油に溶解する新冷媒用の冷凍機油が貯留され、上記圧縮機（21）に貯留された新冷媒用の冷凍機油を上記熱源側回路（11）における油分離器（22）の下流側へ上記洗浄動作中に供給する給油機構（1）を備えるものである。
【０００９】
第２の発明は、第１の発明において、給油機構（1）は、圧縮機（21）から吐出された新冷媒用の冷凍機油を油分離器（22）の下流側へ供給するように構成されるものである。
【００１０】
第３の発明は、第２の発明において、給油機構（1）は、熱源側回路（11）における油分離器（22）の上流側に一端が、その下流側に他端がそれぞれ接続されるバイパス管（60）と、該バイパス管（60）に設けられて洗浄動作中に開放される開閉弁（70）とを備えるものである。
【００１１】
第４の発明は、第２の発明において、給油機構（1）は、油分離器（22）で圧縮機（21）の吐出冷媒から分離された新冷媒用の冷凍機油を該圧縮機（21）へ戻すための油戻し管（22a）に設けられて洗浄動作中に閉鎖される開閉弁（71）を備えるものである。
【００１２】
第５の発明は、第２の発明において、洗浄動作中には、上記液側連絡管（A）を熱源側回路（11）から利用側熱交換器（33）へ向けて冷媒が流通する一方、給油機構（1）は、熱源側回路（11）における圧縮機（21）と油分離器（22）との間に一端が、熱源側回路（11）の端部のうち液側連絡管（A）が接続される方に他端がそれぞれ接続されるバイパス管（62）と、該バイパス管（62）に設けられて洗浄動作中に開放される開閉弁（72）とを備えるものである。
【００１３】
第６の発明は、第１の発明において、給油機構（1）は、圧縮機（21）に接続して該圧縮機（21）に貯留された新冷媒用の冷凍機油を熱源側回路（11）における油分離器（22）の下流側へ供給するための給油管（63,64）と、該給油管（63,64）に設けられて洗浄動作中に開放される給油弁（73,74）とを備えるものである。
【００１４】
第７の発明は、第６の発明において、給油管（63）は、熱源側回路（11）における油分離器（22）の下流側に接続されるものである。
【００１５】
第８の発明は、第６の発明において、洗浄動作中には、上記液側連絡管（A）を熱源側回路（11）から利用側熱交換器（33）へ向けて冷媒が流通する一方、給油管（64）は、熱源側回路（11）の端部のうち液側連絡管（A）が接続される方に接続されてるものである。
【００１６】
第９の発明は、第１の発明において、給油機構（1）は、油分離器（22）で圧縮機（21）の吐出冷媒から分離された新冷媒用の冷凍機油を熱源側回路（11）における油分離器（22）の下流側へ供給するように構成されるものである。
【００１７】
第１０の発明は、第９の発明において、洗浄動作中には、上記液側連絡管（A）を熱源側回路（11）から利用側熱交換器（33）へ向けて冷媒が流通する一方、給油機構（1）は、油分離器（22）で圧縮機（21）の吐出冷媒から分離された新冷媒用の冷凍機油を該圧縮機（21）へ戻すための油戻し管（22a）に一端が、熱源側回路（11）の端部のうち液側連絡管（A）が接続される方に他端がそれぞれ接続されるバイパス管（65）と、該バイパス管（65）に設けられて洗浄動作中に開放される開閉弁（75）とを備えるものである。
【００１８】
第１１の発明は、圧縮機（21）と熱源側熱交換器（24）とレシーバ（28）とが設けられて既設の液側連絡管（A）及びガス側連絡管（B）を介して利用側熱交換器（33）に接続される熱源側回路（11）と、上記熱源側回路（11）における圧縮機（21）の吸入側に設けられてガス冷媒から分離した冷凍機油を貯留する回収容器（40）とを備え、上記圧縮機（21）を運転して上記既設の液側連絡管（A）及びガス側連絡管（B）に残存する旧冷媒用の冷凍機油を上記回収容器（40）へ回収する洗浄動作を行う冷凍装置を対象としている。そして、上記レシーバ（28）には上記旧冷媒用の冷凍機油に溶解する新冷媒用の冷凍機油が予め貯留されており、該新冷媒用の冷凍機油が洗浄動作中にレシーバ（28）を通過する冷媒と共に上記既設の液側連絡管（A）及びガス側連絡管（B）へ供給されるものである。
【００１９】
−作用−
上記第１の発明では、既設の液側連絡管（A）及びガス側連絡管（B）を介して熱源側回路（11）が利用側熱交換器（33）に接続される。既設の液側連絡管（A）及びガス側連絡管（B）を洗浄する洗浄動作中には、熱源側回路（11）の圧縮機（21）が運転され、液側連絡管（A）及びガス側連絡管（B）を冷媒が流れる。また、洗浄動作中において、圧縮機（21）に貯留された新冷媒用の冷凍機油は、熱源側回路（11）における油分離器（22）の下流側へ給油機構（1）によって供給される。
【００２０】
この発明において、洗浄動作中の液側連絡管（A）及びガス側連絡管（B）では、新冷媒用の冷凍機油が圧縮機（21）から吐出された冷媒と共に流通する。既設の液側連絡管（A）及びガス側連絡管（B）に残存する旧冷媒用の冷凍機油には、新冷媒が溶解して粘度の低下した新冷媒用の冷凍機油が溶け込む。旧冷媒用の冷凍機油と新冷媒用の冷凍機油との混合物は、その粘度が旧冷媒用の冷凍機油の粘度よりも低くなる。つまり、液側連絡管（A）及びガス側連絡管（B）に残存する旧冷媒用の冷凍機油は、新冷媒用の冷凍機油と混ざり合うことで流動しやすくなる。
【００２１】
そして、旧冷媒用の冷凍機油と新冷媒用の冷凍機油との混合物は、配管内を流れて回収容器（40）へ流入し、ガス冷媒から分離されて回収容器（40）内に貯留される。洗浄動作中には、このようにして旧冷媒用の冷凍機油が回収容器（40）へ回収され、既設の液側連絡管（A）及びガス側連絡管（B）から旧冷媒用の冷凍機油が除去される。
【００２２】
上記第２の発明において、圧縮機（21）の吐出冷媒には、新冷媒用の冷凍機油が混じっている。そこで、給油機構（1）は、新冷媒用の冷凍機油の混入した吐出冷媒を油分離器（22）の下流側へ供給する。油分離器（22）の下流側へ送られた新冷媒用の冷凍機油は、熱源側回路（11）を流れ、既設の液側連絡管（A）及びガス側連絡管（B）へ流入する。
【００２３】
上記第３の発明では、給油機構（1）にバイパス管（60）と開閉弁（70）とが設けられる。洗浄動作中にこの開閉弁（70）を開くと、圧縮機（21）の吐出冷媒がバイパス管（60）を流れ、熱源側回路（11）における油分離器（22）の下流側へ流入する。つまり、吐出冷媒に混入した新冷媒用の冷凍機油は、このバイパス管（60）を通って油分離器（22）の下流側へ供給される。
【００２４】
上記第４の発明では、給油機構（1）に開閉弁（71）が設けられる。洗浄動作中にこの開閉弁（71）を閉じると、油分離器（22）で圧縮機（21）の吐出冷媒から分離された新冷媒用の冷凍機油は、油戻し管（22a）内の流通を禁止され、油分離器（22）に溜まり込んでゆく。そして、油分離器（22）内が新冷媒用の冷凍機油で満たされると、その後は新冷媒用の冷凍機油がガス冷媒と共に油分離器（22）から流出してゆく。
【００２５】
上記第５の発明では、給油機構（1）にバイパス管（62）と開閉弁（72）とが設けられる。洗浄動作中にこの開閉弁（72）を開くと、圧縮機（21）から吐出されたガス冷媒と新冷媒用の冷凍機油とがバイパス管（62）を流れる。そして、圧縮機（21）から吐出された新冷媒用の冷凍機油は、冷媒の流通方向における液側連絡管（A）の直前へ流入する。
【００２６】
この発明では、圧縮機（21）から吐出された新冷媒用の冷凍機油が、油分離器（22）の下流側であって、特に冷媒の流通方向における液側連絡管（A）の直前へ送り込まれる。このため、圧縮機（21）から吐出されてバイパス管（62）へ流入した新冷媒用の冷凍機油は、熱源側回路（11）に溜まることなく、そのほぼ全量が液側連絡管（A）及びガス側連絡管（B）へ供給される。
【００２７】
上記第６の発明では、給油機構（1）に給油管（63,64）と給油弁（73,74）とが設けられる。洗浄動作中にこの給油弁（73,74）を開くと、圧縮機（21）に貯留された新冷媒用の冷凍機油は、給油管（63,64）を流れ、熱源側回路（11）における油分離器（22）の下流側へ流入する。
【００２８】
上記第７の発明では、洗浄動作中に給油弁（73）を開くと、圧縮機（21）内の新冷媒用の冷凍機油が給油管（63）へ直接流入する。新冷媒用の冷凍機油は、この給油管（63）を流れ、熱源側回路（11）における油分離器（22）の下流側へ流入する。
【００２９】
上記第８の発明では、洗浄動作中に給油弁（74）を開くと、圧縮機（21）内の新冷媒用の冷凍機油が給油管（64）へ直接流入する。新冷媒用の冷凍機油は、この給油管（64）を流れ、冷媒の流通方向における液側連絡管（A）の直前へ流入する。
【００３０】
この発明では、圧縮機（21）に貯留された新冷媒用の冷凍機油が、油分離器（22）の下流側であって、特に冷媒の流通方向における液側連絡管（A）の直前へ送り込まれる。このため、圧縮機（21）から給油管（64）へ流入した新冷媒用の冷凍機油は、熱源側回路（11）に溜まることなく、そのほぼ全量が液側連絡管（A）及びガス側連絡管（B）へ供給される。
【００３１】
上記第９の発明では、油分離器（22）で圧縮機（21）の吐出冷媒から新冷媒用の冷凍機油が分離される。給油機構（1）は、この吐出冷媒から分離された新冷媒用の冷凍機油を熱源側回路（11）における油分離器（22）の下流側へ供給する。油分離器（22）の下流側へ送られた新冷媒用の冷凍機油は、熱源側回路（11）を流れ、既設の液側連絡管（A）及びガス側連絡管（B）へ流入する。
【００３２】
上記第１０の発明では、給油機構（1）にバイパス管（65）と開閉弁（75）とが設けられる。洗浄動作中にこの開閉弁（75）を開くと、油分離器（22）で圧縮機（21）の吐出冷媒から分離された新冷媒用の冷凍機油が、バイパス管（65）へ流入する。そして、バイパス管（65）を流れる新冷媒用の冷凍機油は、冷媒の流通方向における液側連絡管（A）の直前へ流入する。
【００３３】
この発明では、油分離器（22）で圧縮機（21）の吐出冷媒から分離された新冷媒用の冷凍機油が、油分離器（22）の下流側であって、特に冷媒の流通方向における液側連絡管（A）の直前へ送り込まれる。このため、油分離器（22）で分離されてバイパス管（65）へ流入した新冷媒用の冷凍機油は、熱源側回路（11）に溜まることなく、そのほぼ全量が液側連絡管（A）及びガス側連絡管（B）へ供給される。
【００３４】
上記第１１の発明では、既設の液側連絡管（A）及びガス側連絡管（B）を介して熱源側回路（11）が利用側熱交換器（33）に接続される。既設の液側連絡管（A）及びガス側連絡管（B）を洗浄する洗浄動作中には、熱源側回路（11）の圧縮機（21）が運転され、液側連絡管（A）及びガス側連絡管（B）を冷媒が流れる。また、洗浄動作中において、レシーバ（28）に貯留された新冷媒用の冷凍機油は、既設の液側連絡管（A）及びガス側連絡管（B）へ供給される。
【００３５】
この発明において、洗浄動作中の液側連絡管（A）及びガス側連絡管（B）では、新冷媒用の冷凍機油がレシーバ（28）を通過する冷媒と共に流通する。既設の液側連絡管（A）及びガス側連絡管（B）に残存する旧冷媒用の冷凍機油には、新冷媒が溶解して粘度の低下した新冷媒用の冷凍機油が溶け込む。旧冷媒用の冷凍機油と新冷媒用の冷凍機油との混合物は、その粘度が旧冷媒用の冷凍機油の粘度よりも低くなる。つまり、液側連絡管（A）及びガス側連絡管（B）に残存する旧冷媒用の冷凍機油は、新冷媒用の冷凍機油と混ざり合うことで流動しやすくなる。
【００３６】
そして、旧冷媒用の冷凍機油と新冷媒用の冷凍機油との混合物は、配管内を流れて回収容器（40）へ流入し、ガス冷媒から分離されて回収容器（40）内に貯留される。洗浄動作中には、このようにして旧冷媒用の冷凍機油が回収容器（40）へ回収され、既設の液側連絡管（A）及びガス側連絡管（B）から旧冷媒用の冷凍機油が除去される。
【発明の効果】
【００３７】
上記第１の発明では、圧縮機（21）に貯留されて旧冷媒用の冷凍機油に溶解する新冷媒用の冷凍機油を、給油機構（1）によって熱源側回路（11）における油分離器（22）の下流側へ供給し、既設の液側連絡管（A）及びガス側連絡管（B）を洗浄している。つまり、圧縮機（21）に必ず新冷媒用の冷凍機油が貯留されている点に着目し、この発明では、圧縮機（21）内の冷凍機油を液側連絡管（A）及びガス側連絡管（B）の洗浄に利用している。
【００３８】
このため、上記第１の発明によれば、従来のような添加剤注入装置を設けなくても、既設の液側連絡管（A）及びガス側連絡管（B）から旧冷媒用の冷凍機油を除去することができる。そして、液側連絡管（A）及びガス側連絡管（B）の洗浄が終了した後は、添加剤注入装置等の洗浄用の部材を通過することなく冷媒が循環する。従って、この発明によれば、既設の液側連絡管（A）及びガス側連絡管（B）の洗浄動作を行う冷凍装置において、冷媒の圧力損失を低減し、冷凍装置の成績係数（ＣＯＰ）を向上させることができる。
【００３９】
上記第２〜第５の各発明によれば、圧縮機（21）の吐出冷媒に混入した新冷媒用の冷凍機油を、給油機構（1）によって熱源側回路（11）における油分離器（22）の下流側へ供給することができる。従って、これらの発明によれば、洗浄動作中に圧縮機（21）内の新冷媒用の冷凍機油を既設の液側連絡管（A）及びガス側連絡管（B）へ送り込むことができ、既設の液側連絡管（A）及びガス側連絡管（B）の洗浄を行うことができる。
【００４０】
特に、上記第５の発明では、新冷媒用の冷凍機油を熱源側回路（11）における油分離器（22）のより下流側へ供給することができる。従って、本発明によれば、新冷媒用の冷凍機油が熱源側回路（11）に溜まることなく、ほぼ全量の冷凍機油を既設の液側連絡管（A）及びガス側連絡管（B）へ送り込むことができ、既設の液側連絡管（A）及びガス側連絡管（B）の洗浄を充分に行うことができる。
【００４１】
上記第６〜第８の各発明によれば、洗浄動作中に給油機構（1）の給油弁（73,74）を開放することにより、圧縮機（21）内の新冷媒用の冷凍機油を、給油管（63,64）を通じて熱源側回路（11）における油分離器（22）の下流側へ直接供給することができる。従って、これらの発明によれば、洗浄動作中に圧縮機（21）内の新冷媒用の冷凍機油を既設の液側連絡管（A）及びガス側連絡管（B）へ確実に送り込むことができ、既設の液側連絡管（A）及びガス側連絡管（B）の洗浄を充分に行うことができる。
【００４２】
特に、上記第８の発明では、新冷媒用の冷凍機油を熱源側回路（11）における油分離器（22）のより下流側へ供給することができる。従って、本発明によれば、新冷媒用の冷凍機油が熱源側回路（11）に溜まることなく、ほぼ全量の冷凍機油を既設の液側連絡管（A）及びガス側連絡管（B）へ送り込むことができ、既設の液側連絡管（A）及びガス側連絡管（B）の洗浄を一層充分に行うことができる。
【００４３】
上記第９及び第１０の発明によれば、油分離器（22）で圧縮機（21）の吐出冷媒から分離された新冷媒用の冷凍機油を、給油機構（1）によって熱源側回路（11）における油分離器（22）の下流側へ供給することができる。従って、これらの発明によれば、洗浄動作中に圧縮機（21）内の新冷媒用の冷凍機油を既設の液側連絡管（A）及びガス側連絡管（B）へ確実に送り込むことができ、既設の液側連絡管（A）及びガス側連絡管（B）の洗浄を充分に行うことができる。
【００４４】
特に、上記第１０の発明では、新冷媒用の冷凍機油を熱源側回路（11）における油分離器（22）のより下流側へ供給することができる。従って、本発明によれば、新冷媒用の冷凍機油が熱源側回路（11）に溜まることなく、ほぼ全量の冷凍機油を既設の液側連絡管（A）及びガス側連絡管（B）へ送り込むことができ、既設の液側連絡管（A）及びガス側連絡管（B）の洗浄を一層充分に行うことができる。
【００４５】
上記第１１の発明では、レシーバ（28）に貯留されて旧冷媒用の冷凍機油に溶解する新冷媒用の冷凍機油を、レシーバ（28）を通過する冷媒と共に液側連絡管（A）及びガス側連絡管（B）へ供給し、既設の液側連絡管（A）及びガス側連絡管（B）を洗浄している。つまり、この発明では、レシーバ（28）内の冷凍機油を液側連絡管（A）及びガス側連絡管（B）の洗浄に利用している。
【００４６】
このため、上記第１１の発明によれば、従来のような添加剤注入装置を設けなくても、既設の液側連絡管（A）及びガス側連絡管（B）から旧冷媒用の冷凍機油を除去することができる。そして、液側連絡管（A）及びガス側連絡管（B）の洗浄が終了した後は、添加剤注入装置等の洗浄用の部材を通過することなく冷媒が循環する。従って、この発明によれば、既設の液側連絡管（A）及びガス側連絡管（B）の洗浄動作を行う冷凍装置において、冷媒の圧力損失を低減し、冷凍装置の成績係数（ＣＯＰ）を向上させることができる。また、冷凍装置における部品点数の増加を抑え、装置の簡素化及びコスト削減を図ることができる。
【発明を実施するための最良の形態】
【００４７】
以下、本発明の実施形態を図面に基づいて詳細に説明する。
【００４８】
《発明の実施形態１》
図１に示すように、本実施形態の空調機は、１台の室外ユニット（20）と、３台の室内ユニット（30）とを備えている。尚、室内ユニット（30）の台数は、単なる例示である。室外ユニット（20）と各室内ユニット（30）とは、ＨＦＣ冷媒用に構成されている。また、室外ユニット（20）は、本発明に係る冷凍装置を構成している。
【００４９】
室外ユニット（20）と各室内ユニット（30）とは、それまでＣＦＣ冷媒用或いはＨＣＦＣ冷媒用の室外ユニット及び室内ユニットが接続されていた既設の液側連絡管（A）及びガス側連絡管（B）によって互いに接続されている。本実施形態の空調機では、室外ユニット（20）の室外回路（11）と各室内ユニット（30）の室内回路（12）とを既設の液側連絡管（A）及びガス側連絡管（B）で接続することによって、冷媒回路（10）が形成されている。
【００５０】
上記室外ユニット（20）の室外回路（11）は、熱源側回路を構成している。この室外回路（11）には、圧縮機（21）と油分離器（22）と四路切換弁（23）と熱源側熱交換器である室外熱交換器（24）とレシーバ（28）と室外膨張弁（25）とブリッジ回路（29）とが設けられ、ＨＦＣ冷媒が充填されている。また、室外ユニット（20）には、室外ファン（24a）が設けられている。
【００５１】
上記室外回路（12）において、圧縮機（21）の吐出側は、油分離器（22）を介して四路切換弁（23）の第１ポートに接続されている。四路切換弁（23）の第２ポートは、室外熱交換器（24）の一端に接続されている。四路切換弁（23）の第３ポートは、後述する回収容器（40）を介して圧縮機（21）の吸入側に接続されている。四路切換弁（23）の第４ポートは、ガス側閉鎖弁（27）に接続されている。
【００５２】
上記ブリッジ回路（29）は、第１管路（81）、第２管路（82）、第３管路（83）及び第４管路（84）をブリッジ状に接続して構成されている。このブリッジ回路（29）において、第１管路（81）の入口端が第２管路（82）の入口端と接続し、第２管路（82）の出口端が第３管路（83）の入口端と接続し、第３管路（83）の出口端が第４管路（84）の出口端と接続し、第４管路（84）の入口端が第１管路（81）の出口端と接続している。第１〜第４の各管路（81,82,…）には、その入口端から出口端に向かう冷媒の流通のみを許容する逆止弁（CV）が１つずつ設けられている。
【００５３】
上記室外熱交換器（24）の他端は、ブリッジ回路（29）における第２管路（82）の出口端及び第３管路（83）の入口端に接続されている。ブリッジ回路（29）における第１管路（81）の出口端及び第４管路（84）の入口端は、液側閉鎖弁（26）に接続されている。 ブリッジ回路（29）における第３管路（83）の出口端及び第４管路（84）の出口端は、円筒容器状に形成されたレシーバ（28）の入口側に接続されている。レシーバ（28）の出口側は、室外膨張弁（25）を介してブリッジ回路（29）における第１管路（81）の入口端及び第２管路（82）の入口端に接続されている。
【００５４】
上記圧縮機（21）は、全密閉型のスクロール圧縮機である。また、圧縮機（21）は、いわゆる高圧ドーム型に構成されている。つまり、この圧縮機（21）では、圧縮機構（21b）で圧縮されたガス冷媒が一旦ケーシング（21a）内に流出した後にケーシング（21a）外へ吐出されるように構成されている。また、ケーシング（21a）の底部には、ＨＦＣ冷媒用の冷凍機油が貯まるようになっている。この冷凍機油としては、エーテル油やエステル油などの合成油が用いられる。エーテル油やエステル油は、ＣＦＣ冷媒又はＨＣＦＣ冷媒用の冷凍機油である鉱油に溶解する。
【００５５】
上記冷媒回路（10）は、四路切換弁（23）の切り換えによって冷房モードの動作と暖房モードの動作とに切り換わるように構成されている。具体的に、上記四路切換弁（23）の第１ポートと第２ポートとが連通してその第３ポートと第４ポートとが連通する状態（図１の実線で示す状態）に切り換わると、冷媒回路（10）では、室外熱交換器（24）が凝縮器となり室内熱交換器（33）が蒸発器となる冷房モードの動作で冷媒が循環する。また、上記四路切換弁（23）の第１ポートと第４ポートとが連通してその第２ポートと第３ポートとが連通する状態（図１の破線で示す状態）に切り換わると、冷媒回路（10）では、室外熱交換器（24）が蒸発器となり室内熱交換器（33）が凝縮器となる暖房モードの動作で冷媒が循環する。
【００５６】
上記室外回路（11）には、既設の液側連絡管（A）及びガス側連絡管（B）に残存する旧冷媒用の冷凍機油である鉱油などの異物を回収する回収容器（40）が設けられている。この回収容器（40）は、密閉容器であって、流入管（41）と流出管（42）とに接続されている。流入管（41）は、四路切換弁（23）の第３ポートに接続されている。流出管（42）は、圧縮機（21）の吸入側に接続されている。
【００５７】
上記流入管（41）は、その出口端が回収容器（40）内の底部に位置し、回収容器（40）の底部に向かって開口するように形成されている。流入管（41）には、流入弁（51）が設けられている。一方、上記流出管（42）は、その入口端が回収容器（40）内の上部に位置し、回収容器（40）の底部に向かって開口するように形成されている。流出管（42）には、流出弁（52）が設けられている。尚、上記流入弁（51）及び流出弁（52）は、開閉弁を構成している。
【００５８】
上記室外回路（11）には、回収容器（40）をバイパスするバイパス管（54）が設けられている。バイパス管（54）は、その一端が流入弁（51）と四路切換弁（23）の第３ポートの間に接続され、その他端が流出弁（52）と圧縮機（21）の吸入側の間に接続されている。バイパス管（54）には、開閉弁であるバイパス弁（53）が設けられている。
【００５９】
また、上記油分離器（22）には、油戻し管（22a）の一端が接続されている。油戻し管（22a）の他端は、流出弁（52）と圧縮機（21）の吸入側の間であってバイパス管（54）の接続部分より下流側に接続されている。圧縮機（21）からガス冷媒に混じって吐出された冷凍機油（合成油）は、油分離器（22）でガス冷媒から分離された後に、この油戻し管（22a）を通って、圧縮機（21）の吸入側へ戻される。
【００６０】
上記室外ユニット（20）には、給油機構（1）が設けられている。この給油機構（1）は、バイパス管（60）と開閉弁（70）とによって構成されている。バイパス管（60）は、その一端が圧縮機（21）の吐出側と油分離器（22）の間に接続され、その他端が油分離器（22）と四路切換弁（23）の第１ポートの間に接続されている。開閉弁（70）は、バイパス管（60）に設けられ、該バイパス管（60）における冷媒の流れを断続する。
【００６１】
上記各室内ユニット（30）の室内回路（12）では、室内膨張弁（32）と利用側熱交換器である室内熱交換器（33）とが直列に接続されている。また、各室内ユニット（30）には、室内ファン（33a）が設けられている。
【００６２】
上記液側連絡管（A）は、その一端が液側閉鎖弁（26）を介して室外回路（20）に接続されている。液側連絡管（A）の他端は、３本に枝分かれし、液側接続具（31）を介して各室内ユニット（30）の室内回路（12）に接続されている。また、上記ガス側連絡管（B）は、その一端がガス側閉鎖弁（27）を介して室外回路（20）に接続されている。ガス側連絡管（B）の他端は、３本に枝分かれし、ガス側接続具（34）を介して各室内ユニット（30）の室内回路（12）に接続されている。
【００６３】
−室内及び室外ユニットの交換方法−
旧冷媒であるＣＦＣ冷媒又はＨＣＦＣ冷媒を用いた空調機の更新において、既設の液側連絡管（A）及びガス側連絡管（B）についてはそのまま流用し、既設の室外ユニット及び室内ユニットを新冷媒であるＨＦＣ冷媒用の新設の室外ユニット（20）及び室内ユニット（30）に交換する。
【００６４】
具体的には、まず空調機からＣＦＣ冷媒又はＨＣＦＣ冷媒を回収する。そして、既設の液側連絡管（A）及びガス側連絡管（B）からＣＦＣ冷媒用又はＨＣＦＣ冷媒用の室外ユニット及び室内ユニットを取り外す。その後、ＨＦＣ冷媒用の室外ユニット（20）及び室内ユニット（30）を既設の液側連絡管（A）及びガス側連絡管（B）に接続具（31,34）及び閉鎖弁（26,27）を介して接続することにより上記冷媒回路（10）を構成する。
【００６５】
次に、液側閉鎖弁（26）及びガス側閉鎖弁（27）を閉じたままの状態で室内ユニット（30）と液側連絡管（A）とガス側連絡管（B）との真空引きを行い、室外ユニット（20）を除く冷媒回路（10）内の空気や水分等を除去する。その後、液側閉鎖弁（26）及びガス側閉鎖弁（27）を開くと共に、冷媒回路（10）内にＨＦＣ冷媒を追加充填する。
【００６６】
−洗浄動作−
次に、上記空調機の洗浄動作について説明する。この洗浄動作は、既設の液側連絡管（A）及びガス側連絡管（B）内に残留している鉱油などの異物を除去するために行うものであって、ＨＦＣ冷媒用の室内ユニット（20）及び室外ユニット（30）を据え付けた直後に行われる。
【００６７】
ＨＦＣ冷媒用の室内ユニット（20）及び室外ユニット（30）の据え付けが完了すると、圧縮機（21）を起動すると共に、四路切換弁（23）を図１の実線で示す状態に切り換える。また、流入弁（51）及び流出弁（52）を開き、バイパス弁（53）を閉じる。更には、給油機構（1）の開閉弁（70）を開く。尚、洗浄動作中において、室外膨張弁（25）及び各室内膨張弁（32）は、その開度が適宜調節される。
【００６８】
圧縮機（21）を駆動すると、圧縮されたガス冷媒に混じってＨＦＣ冷媒用の冷凍機油である合成油が圧縮機（21）から吐出される。圧縮機（21）から吐出されたガス冷媒及び合成油は、その一部が油分離器（22）へ流入し、残りがバイパス管（60）を通って油分離器（22）と四路切換弁（23）の第１ポートとの間へ流入する。油分離器（22）において、ガス冷媒から合成油が分離され、分離された合成油が油戻し管（22a）を通って圧縮機（21）の吸入側へ戻される。油分離器（22）で合成油と分離したガス冷媒は、四路切換弁（23）へと流れる。また、バイパス管（60）を通過したガス冷媒は、合成油の油滴が含まれたままの状態で油分離器（22）の下流側へ送られる。
【００６９】
合成油を含んだガス冷媒は、四路切換弁（23）を通過後に室外熱交換器（24）へ流入し、室外空気と熱交換して凝縮する。その後、合成油を含んだ冷媒は、ブリッジ回路（29）の第３管路（83）、レシーバ（28）、室外膨張弁（25）及びブリッジ回路（29）の第１管路（81）を順に通過し、液側閉鎖弁（26）を経て液側連絡管（A）へ流入する。
【００７０】
液側連絡管（A）では、合成油が冷媒と共に流通する。液側連絡管（A）に残存する鉱油には、ＨＦＣ冷媒が溶解して粘度の低下した合成油が溶け込む。鉱油と合成油との混合物は、その粘度が鉱油の粘度よりも低くなる。つまり、液側連絡管（A）に残存する鉱油は、低粘度化した合成油と混ざり合うことで流動しやすくなる。そして、鉱油と合成油との混合物は、液側連絡管（A）を流れる冷媒によって押し流され、各室内膨張弁（32）を通って各室内熱交換器（33）へ流入する。各室内熱交換器（33）において、冷媒は、室内空気と熱交換して蒸発する。蒸発した冷媒は、鉱油と合成油との混合物と共にガス側連絡管（B）へ流入する。
【００７１】
ガス側連絡管（B）では、液側連絡管（A）から流れてきた合成油がガス冷媒と共に流通する。ガス側連絡管（B）に残存する鉱油には、ＨＦＣ冷媒が溶解して粘度の低下した合成油が溶け込む。鉱油と合成油との混合物は、その粘度が鉱油の粘度よりも低くなる。つまり、ガス側連絡管（B）に残存する鉱油は、低粘度化した合成油と混ざり合うことで流動しやすくなる。そして、鉱油と合成油との混合物は、ガス側連絡管（B）を流れるガス冷媒によって押し流され、ガス側閉鎖弁（27）及び四路切換弁（23）を経て、流入管（41）から回収容器（40）へ流入する。
【００７２】
回収容器（40）へ流入したガス冷媒及び鉱油と合成油との混合物は、該回収容器（40）の底部に向かって吐出される。このうち鉱油と合成油との混合物は、回収容器（40）の底部に貯留される。ガス冷媒は、流出管（42）を通じて回収容器（40）から冷媒回路（10）へ流出し、圧縮機（21）の吸入側から圧縮機（21）へ流入する。
【００７３】
上記の洗浄動作を所定時間行うことによって、既設の液側連絡管（A）及びガス側連絡管（B）に残存する鉱油が冷媒回路（10）を流れる合成油と共に回収容器（40）へ回収される。これにより、液側連絡管（A）及びガス側連絡管（B）から旧冷媒用の冷凍機油である鉱油が除去される。
【００７４】
洗浄動作の終了後に、流入弁（51）及び流出弁（52）を閉じ、バイパス弁（53）を開く。また、給油機構（1）の開閉弁（70）を閉じる。その後、流入弁（51）、流出弁（52）及び開閉弁（70）は常に閉鎖され、バイパス弁（53）は常に開放される。この状態において、冷房モードの動作と暖房モードの動作とが切り換えて行われる。
【００７５】
−冷房モード、暖房モード−
冷房モードの動作では、四路切換弁（23）が図１の実線で示す状態となる。圧縮機（21）から吐出された冷媒は、その全てが油分離器（22）へ流入し、四路切換弁（23）を通過後に、室外熱交換器（24）で室外空気と熱交換して凝縮する。凝縮した冷媒は、レシーバ（28）及び室外膨張弁（25）を通過し、液側連絡管（A）を流れた後に、各室内熱交換器（33）で室内空気と熱交換して蒸発する。蒸発した冷媒は、ガス側連絡管（B）を流れ、四路切換弁（23）及びバイパス管（54）を通って、圧縮機（21）の吸入側へ戻される。
【００７６】
一方、暖房モードの動作では、四路切換弁が図１の破線で示す状態となる。圧縮機（21）から吐出された冷媒は、その全てが油分離器（22）へ流入し、四路切換弁（23）及びガス側連絡管（B）を通過後に、各室内熱交換器（33）で室内空気と熱交換して凝縮する。凝縮した冷媒は、液側連絡管（A）を流れ、レシーバ（28）及び室外膨張弁（25）を通過後に、室外熱交換器（24）で室外空気と熱交換して蒸発する。蒸発した冷媒は、四路切換弁（23）及びバイパス管（54）を通って、圧縮機（21）の吸入側へ戻される。
【００７７】
−実施形態１の効果−
本実施形態では、圧縮機（21）に貯留されて鉱油に溶解する合成油を、給油機構（1）によって油分離器（22）の下流側へ供給し、既設の液側連絡管（A）及びガス側連絡管（B）を洗浄している。つまり、圧縮機（21）に必ずＨＦＣ冷媒用の冷凍機油である合成油が貯留されている点に着目し、本実施形態では、圧縮機（21）内の合成油を液側連絡管（A）及びガス側連絡管（B）の洗浄に利用している。
【００７８】
このため、本実施形態によれば、従来のような添加剤注入装置を設けなくても、既設の液側連絡管（A）及びガス側連絡管（B）から鉱油を除去することができる。そして、液側連絡管（A）及びガス側連絡管（B）の洗浄が終了した後は、添加剤注入装置等の洗浄用の部材を通過することなく冷媒が循環する。従って、本実施形態によれば、既設の液側連絡管（A）及びガス側連絡管（B）の洗浄動作を行う冷凍装置において、冷媒の圧力損失を低減し、冷凍装置の成績係数（ＣＯＰ）を向上させることができる。
【００７９】
また、本実施形態によれば、圧縮機（21）の吐出冷媒に混入した合成油を、給油機構（1）のバイパス管（60）及び開閉弁（70）を用いて油分離器（22）の下流側へ供給することができる。従って、本実施形態によれば、洗浄動作中に圧縮機（21）内の合成油を既設の液側連絡管（A）及びガス側連絡管（B）へ送り込むことができ、既設の液側連絡管（A）及びガス側連絡管（B）の洗浄を行うことができる。
【００８０】
《発明の実施形態２》
本発明の実施形態２は、上記実施形態１において、給油機構（1）の構成を変更したものである。ここでは、本実施形態について、上記実施形態１と異なる点を説明する。
【００８１】
図２に示すように、本実施形態の空調機では、給油機構（1）が開閉弁（71）を備えている。この開閉弁（71）は、油戻し管（22a）に設けられており、洗浄動作中にのみ閉じるようになっている。
【００８２】
ＨＦＣ冷媒用の室内ユニット（20）及び室外ユニット（30）の据え付け完了後、洗浄動作中に上記開閉弁（71）を閉じる。すると、油分離器（22）でガス冷媒から分離された合成油は、油戻し管（22a）内の流通を禁止される。一方、圧縮機（21）からは、圧縮されたガス冷媒が合成油と共に吐出し続ける。このため、油分離器（22）内には、該油分離器（22）でガス冷媒から分離された合成油が溜まり込んでゆく。そして、油分離器（22）内が合成油で満たされると、その後は油分離器（22）へ流入した合成油がガス冷媒と共に油分離器（22）から流出してゆく。油分離器（22）から流出した合成油及びガス冷媒は、室外回路（11）を流れ、液側連絡管（A）へ流入する。
【００８３】
尚、洗浄動作の終了後において、上記開閉弁（71）は常に閉鎖される。この状態では、油分離器（22）でガス冷媒から分離された合成油が、油戻し管（22a）を通って、圧縮機（21）の吸入側へ戻される。
【００８４】
本実施形態によれば、圧縮機（21）の吐出冷媒に混入した合成油を、給油機構（1）の開閉弁（71）を用いて油分離器（22）の下流側へ供給することができる。従って、本実施形態によれば、洗浄動作中に圧縮機（21）内の合成油を既設の液側連絡管（A）及びガス側連絡管（B）へ送り込むことができ、既設の液側連絡管（A）及びガス側連絡管（B）の洗浄を行うことができる。
【００８５】
《発明の実施形態３》
本発明の実施形態３は、上記実施形態１において、給油機構（1）の構成を変更したものである。ここでは、本実施形態について、上記実施形態１と異なる点を説明する。
【００８６】
図３に示すように、本実施形態の空調機では、給油機構（1）がバイパス管（62）及び開閉弁（72）を備えている。バイパス管（62）は、その一端が圧縮機（21）の吐出側と油分離器（22）との間に接続され、その他端が室外回路（11）の端部のうち液側連絡管（A）が接続される方に接続されている。つまり、上記バイパス管（62）は、その他端が室外膨張弁（25）と液側閉鎖弁（26）との間であって液側閉鎖弁（26）の手前に接続されている。開閉弁（72）は、バイパス管（62）に設けられており、洗浄動作中にのみ開くようになっている。
【００８７】
ＨＦＣ冷媒用の室内ユニット（20）及び室外ユニット（30）の据え付け完了後、洗浄動作中に上記開閉弁（72）を開く。すると、圧縮機（21）から吐出されたガス冷媒及び合成油は、その一部がバイパス管（62）へ流入し、残りが油分離器（22）へ流入する。このうちバイパス管（62）を流れるガス冷媒及び合成油は、油分離器（22）の下流側である液側閉鎖弁（26）の手前へ流入する。そして、ガス冷媒及び合成油は、液側閉鎖弁（26）を通って液側連絡管（A）へ流入する。
【００８８】
尚、洗浄動作の終了後において、上記開閉弁（72）は常に閉鎖される。この状態では、圧縮機（21）から吐出されたガス冷媒及び合成油が、バイパス管（62）内の流通を禁止される。このため、圧縮機（21）から吐出されたガス冷媒及び合成油は、その全てが油分離器（22）へ流入する。
【００８９】
本実施形態によれば、圧縮機（21）の吐出冷媒に混入した合成油を、給油機構（1）のバイパス管（62）及び開閉弁（72）を用いて油分離器（22）の下流側へ供給することができる。従って、本実施形態によれば、洗浄動作中に圧縮機（21）内の合成油を既設の液側連絡管（A）及びガス側連絡管（B）へ送り込むことができ、既設の液側連絡管（A）及びガス側連絡管（B）の洗浄を行うことができる。
【００９０】
特に、本実施形態では、合成油を油分離器（22）のより下流側へ供給することができる。従って、本実施形態によれば、合成油が室外回路（11）に溜まることなく、ほぼ全量の合成油を既設の液側連絡管（A）及びガス側連絡管（B）へ送り込むことができ、既設の液側連絡管（A）及びガス側連絡管（B）の洗浄を充分に行うことができる。
【００９１】
《発明の実施形態４》
本発明の実施形態４は、上記実施形態１において、給油機構（1）の構成を変更したものである。ここでは、本実施形態について、上記実施形態１と異なる点を説明する。
【００９２】
図４に示すように、本実施形態の空調機では、給油機構（1）が給油管（63）及び給油弁（73）を備えている。給油管（63）は、その一端が圧縮機（21）の底部の合成油が溜まっている部分に接続され、その他端が油分離器（22）と四路切換弁（23）の第１ポートとの間に接続されている。給油弁（73）は、給油管（63）に設けられており、洗浄動作中にのみ開くようになっている。
【００９３】
ＨＦＣ冷媒用の室内ユニット（20）及び室外ユニット（30）の据え付け完了後、洗浄動作中に上記給油弁（73）を開く。すると、圧縮機（21）の底部に溜まった合成油は、給油管（63）へ流入する。給油管（63）を流れる合成油は、油分離器（22）の下流側である油分離器（22）と四路切換弁（23）の第１ポートとの間へ流入する。そして、合成油は、室外回路（11）を流れ、既設の液側連絡管（A）へ流入する。尚、洗浄動作の終了後において、上記給油弁（73）は常に閉鎖される。この状態では、給油管（63）内を合成油が流通をすることはない。
【００９４】
本実施形態によれば、洗浄動作中に給油機構（1）の給油弁（73）を開放することにより、圧縮機（21）内の合成油を、給油管（63）を通じて油分離器（22）の下流側へ直接供給することができる。従って、本実施形態によれば、洗浄動作中に圧縮機（21）内の合成油を既設の液側連絡管（A）及びガス側連絡管（B）へ確実に送り込むことができ、既設の液側連絡管（A）及びガス側連絡管（B）の洗浄を充分に行うことができる。
【００９５】
《発明の実施形態５》
本発明の実施形態５は、上記実施形態１において、給油機構（1）の構成を変更したものである。ここでは、本実施形態について、上記実施形態１と異なる点を説明する。
【００９６】
図５に示すように、本実施形態の空調機では、給油機構（1）が給油管（64）及び給油弁（74）を備えている。給油管（64）は、その一端が圧縮機（21）の底部の合成油が溜まっている部分に接続され、その他端が室外回路（11）の端部のうち液側連絡管（A）が接続される方に接続されている。つまり、上記バイパス管（64）は、その他端が室外膨張弁（25）と液側閉鎖弁（26）との間であって液側閉鎖弁（26）の手前に接続されている。給油弁（74）は、給油管（64）に設けられており、洗浄動作中にのみ開くようになっている。
【００９７】
ＨＦＣ冷媒用の室内ユニット（20）及び室外ユニット（30）の据え付け完了後、洗浄動作中に上記給油弁（74）を開く。すると、圧縮機（21）の底部に溜まった合成油は、給油管（64）へ流入する。給油管（64）を流れる合成油は、油分離器（22）の下流側である液側閉鎖弁（26）の手前へ流入する。そして、合成油は、液側閉鎖弁（26）を通って液側連絡管（A）へ流入する。尚、洗浄動作の終了後において、上記給油弁（74）は常に閉鎖される。この状態では、給油管（64）内を合成油が流通することはない。
【００９８】
本実施形態によれば、洗浄動作中に給油機構（1）の給油弁（74）を開放することにより、圧縮機（21）内の合成油を、給油管（64）を通じて油分離器（22）の下流側へ直接供給することができる。従って、本実施形態によれば、洗浄動作中に圧縮機（21）内の合成油を既設の液側連絡管（A）及びガス側連絡管（B）へ確実に送り込むことができ、既設の液側連絡管（A）及びガス側連絡管（B）の洗浄を充分に行うことができる。
【００９９】
特に、本実施形態では、合成油を油分離器（22）のより下流側へ供給することができる。従って、本実施形態によれば、合成油が室外回路（11）に溜まることなく、ほぼ全量の合成油を既設の液側連絡管（A）及びガス側連絡管（B）へ送り込むことができ、既設の液側連絡管（A）及びガス側連絡管（B）の洗浄を一層充分に行うことができる。
【０１００】
《発明の実施形態６》
本発明の実施形態６は、上記実施形態１において、給油機構（1）の構成を変更したものである。ここでは、本実施形態について、上記実施形態１と異なる点を説明する。
【０１０１】
図６に示すように、本実施形態の空調機では、給油機構（1）がバイパス管（65）及び開閉弁（75）を備えている。バイパス管（65）は、その一端が油戻し管（22a）に接続され、その他端が室外回路（11）の端部のうち液側連絡管（A）が接続される方に接続されている。つまり、上記バイパス管（65）は、その他端が室外膨張弁（25）と液側閉鎖弁（26）との間であって液側閉鎖弁（26）の手前に接続されている。開閉弁（75）は、バイパス管（65）に設けられており、洗浄動作中にのみ開くようになっている。
【０１０２】
上記油戻し管（22a）には、油戻し弁（76）が設けられている。この油戻し弁（76）は、油戻し管（22a）におけるバイパス管（65）の接続部分よりも下流側に設けられており、該油戻し管（22a）における合成油の流れを断続する。上記油戻し弁（76）は、洗浄動作中にのみ閉じるようになっている。
【０１０３】
ＨＦＣ冷媒用の室内ユニット（20）及び室外ユニット（30）の据え付け完了後、洗浄動作中に上記開閉弁（75）を開き、油戻し弁（76）を閉じる。すると、油分離器（22）にてガス冷媒から分離された合成油は、油戻し管（22a）の途中からバイパス管（65）へ流入する。バイパス管（65）を流れる合成油は、油分離器（22）の下流側である液側閉鎖弁（26）の手前へ流入する。そして、合成油は、液側閉鎖弁（26）を通って液側連絡管（A）へ流入する。
【０１０４】
尚、洗浄動作の終了後において、上記開閉弁（75）は常に閉鎖され、油戻し弁（76）は常に開放される。この状態では、バイパス管（65）内を合成油が流通することはない。このため、油分離器（22）でガス冷媒から分離された合成油は、その全部が油戻し管（22a）を通って圧縮機（21）の吸入側へ戻される。
【０１０５】
本実施形態によれば、油分離器（22）で圧縮機（21）の吐出冷媒から分離された合成油を、給油機構（1）のバイパス管（65）及び開閉弁（75）を用いて油分離器（22）の下流側へ供給することができる。従って、本実施形態によれば、洗浄動作中に圧縮機（21）内の合成油を既設の液側連絡管（A）及びガス側連絡管（B）へ確実に送り込むことができ、既設の液側連絡管（A）及びガス側連絡管（B）の洗浄を充分に行うことができる。
【０１０６】
特に、本実施形態では、合成油を油分離器（22）のより下流側へ供給することができる。従って、本実施形態によれば、合成油が室外回路（11）に溜まることなく、ほぼ全量の合成油を既設の液側連絡管（A）及びガス側連絡管（B）へ送り込むことができ、既設の液側連絡管（A）及びガス側連絡管（B）の洗浄を一層充分に行うことができる。
【０１０７】
《発明の実施形態７》
本発明の実施形態７は、上記実施形態１において、冷凍装置の構成を変更したものである。ここでは、本実施形態について、上記実施形態１と異なる点を説明する。
【０１０８】
図７に示すように、本実施形態の空調機では、ＨＦＣ冷媒用の新設の室外ユニット（20）において、レシーバ（28）内には、圧縮機（21）に貯留される合成油と同じ種類の合成油が予め貯留されている。
【０１０９】
ＨＦＣ冷媒用の室内ユニット（20）及び室外ユニット（30）の据え付け完了後、洗浄動作中には、レシーバ（28）に貯留された合成油が、該レシーバ（28）内に流入して内部に溜まった液冷媒と共に少しずつレシーバ（28）の外部へ流出してゆく。レシーバ（28）から流出した液冷媒及び合成油は、ブリッジ回路（29）の第１管路（81）を通り、液側閉鎖弁（26）を経て液側連絡管（A）へ流入する。
【０１１０】
上記の洗浄動作を所定時間行うことによって、既設の液側連絡管（A）及びガス側連絡管（B）に残存する鉱油がレシーバ（28）から流出して冷媒回路（10）を流れる合成油と共に回収容器（40）へ回収される。これにより、液側連絡管（A）及びガス側連絡管（B）から旧冷媒用の冷凍機油である鉱油が除去される。
【０１１１】
本実施形態では、レシーバ（28）に貯留されて鉱油に溶解する合成油を、レシーバ（28）を通過する冷媒と共に液側連絡管（A）及びガス側連絡管（B）へ供給し、鉱油が残存する既設の液側連絡管（A）及びガス側連絡管（B）を洗浄している。つまり、本実施形態では、レシーバ（28）内の合成油を液側連絡管（A）及びガス側連絡管（B）の洗浄に利用している。
【０１１２】
このため、本実施形態によれば、従来のような添加剤注入装置を設けなくても、既設の液側連絡管（A）及びガス側連絡管（B）から鉱油を除去することができる。そして、液側連絡管（A）及びガス側連絡管（B）の洗浄が終了した後は、添加剤注入装置等の洗浄用の部材を通過することなく冷媒が循環する。従って、本実施形態によれば、既設の液側連絡管（A）及びガス側連絡管（B）の洗浄動作を行う冷凍装置において、冷媒の圧力損失を低減し、冷凍装置の成績係数（ＣＯＰ）を向上させることができる。また、冷凍装置における部品点数の増加を抑え、装置の簡素化及びコスト削減を図ることができる。
【産業上の利用可能性】
【０１１３】
以上説明したように、本発明は、既設の連絡配管に接続される冷凍装置であって、連絡配管の洗浄動作を行うものについて有用である。
【図面の簡単な説明】
【０１１４】
【図１】実施形態１に係る空調機の冷媒回路図である。
【図２】実施形態２に係る空調機の冷媒回路図である。
【図３】実施形態３に係る空調機の冷媒回路図である。
【図４】実施形態４に係る空調機の冷媒回路図である。
【図５】実施形態５に係る空調機の冷媒回路図である。
【図６】実施形態６に係る空調機の冷媒回路図である。
【図７】実施形態７に係る空調機の冷媒回路図である。
【符号の説明】
【０１１５】
（1）   給油機構
（11）  熱源側回路（室外回路）
（21）  圧縮機
（22）  油分離器
（22a） 油戻し管
（24）  熱源側熱交換器（室外熱交換器）
（28）  レシーバ
（33）  利用側熱交換器（室内熱交換器）
（40）  回収容器
（60,62,65）  バイパス管
（63,64）  給油管
（70,71,72,75）  開閉弁
（73,74）  給油弁
（A）   液側連絡管
（B）   ガス側連絡管
【図１】
2005083637.tif 000003
【図２】
2005083637.tif 000004
【図３】
2005083637.tif 000005
【図４】
2005083637.tif 000006
【図５】
2005083637.tif 000007
【図６】
2005083637.tif 000008
【図７】
2005083637.tif 000009